(57)【特許請求の範囲】
【請求項１】
搬入口（２Ａ）  から搬入した被乾燥物（Ｗ）を搬出口  （２Ｂ）  に向かってコンベア（３）で搬送しながら当該被乾燥物（Ｗ）の表面を所定の温度に加熱して乾燥する乾燥炉において、炉（１）内には、電気機器（１５）に接続された電磁誘導の二次回路となるピックアップコイル（１７）を対向配設する給電部（１０，２７，３０）が、当該炉（１）の長手方向に沿って連続的に又は所定間隔で形成されると共に、前記給電部（１０，２７，３０）には、電磁誘導の一次回路となる耐熱性の絶縁被覆電線（１１，２４，３２）が配設されていることを特徴とする乾燥炉。
【請求項２】
前記絶縁被覆電線（１１）が、炉（１）の床，側壁又は天井に沿って炉（１）内に露出された状態で敷設されて成る請求項１記載の乾燥炉。
【請求項３】
搬入口（２Ａ）から搬入した被乾燥物（Ｗ）をコンベア（３）で搬出口（２Ｂ）まで搬送しながら当該被乾燥物（Ｗ）の表面を所定の温度に加熱して乾燥する乾燥炉において、熱源となる加熱空気を送給する熱風送給ダクト（５）内には、電気機器（２８）に接続された電磁誘導の二次回路となるピックアップコイル（１７）を対向配設する給電部（２７）が、当該ダクト（５）の長手方向に沿って連続的に又は所定間隔で形成されると共に、前記給電部（２７）には、電磁誘導の一次回路となる耐熱性の絶縁被覆電線（２４）が配設されていることを特徴とする乾燥炉。
【発明の詳細な説明】
【０００１】
【発明の属する技術分野】
本発明は、搬入口から搬入した自動車ボディなどの被乾燥物をコンベアで搬出口まで搬送しながらその表面に形成された塗膜を乾燥する乾燥炉に関する。
【０００２】
【従来の技術】
自動車ボディの塗膜を乾燥する乾燥炉は、その搬入口から搬出口に至るまで百数十ｍもあるトンネル型に形成されると共に、多くの場合、搬入口及び搬出口から熱が逃げないようにするために搬入口及び搬出口に対して炉が高位置に形成された山型に形成されている。
そして、炉内の雰囲気温度を所定の乾燥温度に維持することにより塗膜を乾燥させるようにしている。
【０００３】
ところで、このような乾燥炉では、塗膜に含まれる有機溶剤などが蒸発していわゆるヤニとなって炉内に付着するので、これを除去するために、数カ月ごとに内部清掃することとしている。
この場合に、乾燥炉は、内部に照明器具を設けてもすぐにヤニで汚れて使用不能となるためもともと内部照明がなく、しかも多くの場合、乾燥炉が山型炉に形成されているため搬入口及び搬出口から外部の光が炉内まで届くこともないから、炉内は百数十メートルにわたって真っ暗なトンネルとなっている。
このため、内部清掃を行う場合には、作業者一人一人のヘルメットにヘッドライトを装着したり、炉内に別途照明装置を持ち込んで照明していた。
【０００４】
【発明が解決しようとする課題】
しかしながら、作業者のヘルメットにヘッドライトを装着しても照明できる範囲は狭いので、乾燥炉内を広い範囲で見渡すことができる程度に全体的に明るく照明することはできず、したがって、作業性が悪いという問題があった。
もちろん、照明装置を乾燥炉内に持ち込んで照明すれば広い範囲で明るくすることはできる。しかし、防爆上、乾燥炉内に電気コンセントを設置することはできないので、炉外に配設された電気コンセントに接続した非常に長い電源コードを介して乾燥炉内の照明装置に電源を供給しなければならず、その電源コードの取り回しが面倒であるという問題があった。
また、電源コードには床面などに付着しているヤニで汚れるので、汚れた電源コードをそのままコードリール等に巻き取ると、電源コード同士が接着されてしまうという問題も生ずる。
なお、これらの問題は，乾燥炉内で照明を使用する場合に限らず，例えば電動フロアブラシなどの電気機器を使用する場合も同様であった。
【０００５】
そこで本発明は、長い電源コードを用いることなく、炉内の任意の場所で電源の供給を受けることができるようにすることを技術的課題としている。
【０００６】
【課題を解決するための手段】
この課題を解決するために、本発明は、搬入口から搬入した被乾燥物を搬出口に向かってコンベアで搬送しながら当該被乾燥物の表面を所定の温度に加熱して乾燥する乾燥炉において、炉内には、電気機器に接続された電磁誘導の二次回路となるピックアップコイルを対向配設する給電部が、当該炉の長手方向に沿って連続的に又は所定間隔で形成されると共に、前記給電部には、電磁誘導の一次回路となる耐熱性の絶縁被覆電線が配設されていることを特徴とする。
【０００７】
本発明によれば、電磁誘導の一次回路となる耐熱性の絶縁被覆電線を配設した給電部が、炉内の長手方向に沿って連続的に又は所定間隔で形成されているので、前記絶縁被覆電線に高周波電流を供給した状態で、電気機器に接続されたピックアップコイルを前記給電部に対向配設させれば、電磁誘導の二次回路となるピックアップコイルに誘導起電力が生ずる。
したがって、この起電力を電源として、照明装置を点灯させたり、その他の電気機器を使用することができ、この場合に、炉内に形成された給電部から電源の供給を受けることができるので、乾燥炉の外に設置された電気コンセントから長い電源コードを引き回して給電する必要がない。
【０００８】
【発明の実施の形態】
以下、本発明の実施形態を図面に基づいて具体的に説明する。
図１は本発明に係る乾燥炉の一例を示す正面断面図、図２はその平面図、図３は熱風送給ダクト内に配設された給電部を炉内側から見た図、図４（ａ）及び（ｂ）は図３のＡ─Ａ線断面図及びＢ−Ｂ線断面図、図５は給電部の他の例を示す炉壁部分の平面図である。
【０００９】
図中１は、搬入口２Ａから搬入した自動車ボディなどの被乾燥物Ｗをコンベア３で搬出口２Ｂまで搬送しながらその表面に形成された塗膜を乾燥するトンネル型の乾燥炉であって、炉１内の搬入口２Ａ側に暗赤パネル４が配設されて輻射加熱ゾーンが形成されると共に、その搬出口２Ｂ側に加熱空気を吹き出す熱風吹出ダクト（熱風送給ダクト）５が配設されてて対流加熱ゾーンが形成されている。
【００１０】
そして、コンベア３は、炉１内の長手方向に沿って例えば被乾燥物Ｗを載置する搬送台車６を走行させるガイドレール７Ｒ，７Ｌが敷設されると共に、当該ガイドレール７Ｒ，７Ｌ間に前記搬送台車６を牽引する駆動チェーン８が配されてなる。
また、ガイドレール７Ｒ，７Ｌ間には、駆動チェーン８の隣に、そのコンベア３の進行方向に沿って連続する給電部１０が形成されている。
この給電部１０は、電磁誘導の一次回路となる耐熱性の絶縁被覆電線１１，１１を断面山型の台座１２の長手方向に沿って所定間隔で立設された支柱１３，１３に支持させてなり、前記電線１１は炉１外に配された高周波電流供給装置（図示せず）に接続されて、例えば約３００Ｖ，１０ｋＨｚ程度の高周波電流が供給されるようになされている。
【００１１】
また、１５は炉１内で使用する照明装置（電気機器）であって、電源コード１６を介して電磁誘導の二次回路となるピックアップコイル１７を接続した電源装置１８と、電源装置１８から出力される電力を充電する充電池１９と、当該充電池１９を介して供給される電源により点灯される照明ランプ２０が、ベース２１に搭載されている。
そして、前記ピックアップコイル１７は、コイル捲線を絶縁樹脂で固めて形成され、前記絶縁被覆電線１１、１１と嵌まり合うように、二つの係合凹部１７ａ，１７ｂが形成されている。
ここで、前記給電部１０の任意の位置にピックアップコイル１７を装着すると、双方とも絶縁被覆されているので、当該コイル１７及び絶縁被覆電線１１は電気的に非接触状態で対向する。
なお、電源装置１８は、給電部１０とピックアップコイル１７を対向させた状態で、給電部１０に高周波電流を供給したときに、ピックアップコイル１７に生じた誘導起電力を所定電圧，所定電流に調整して出力する。
【００１２】
また、炉壁２２に沿って形成された前記熱風吹出ダクト５内には、その長手方向に給電部２７が形成されている。
図３は給電部２７を炉１内側から見た図、図４（ａ）及び（ｂ）は図３のＡ−Ａ線断面図及びＢ−Ｂ線断面図であって、当該給電部２７は炉１の長手方向に沿って配設されたレール体２３に電磁誘導の一次回路となる耐熱性の絶縁被覆電線２４，２４が支柱２５を介して支持されて形成され、前記絶縁被覆電線２４は炉１外に配された高周波電流供給装置（図示せず）に接続されて、前記給電部１０の絶縁被覆電線１１と同様に、例えば約３００Ｖ，１０ｋＨｚ程度の高周波電流が供給されるようになされている。
また、レール体２３には、照明装置（電気機器）２８のピックアップコイル１７部を当該レール体２３に着脱させるために薄く形成された着脱部２６ａ（図４（ａ）参照）と、ピックアップコイル１７と前記各絶縁被覆電線２４，２４とを給電状態に対向させる肉厚の対向配設部２６ｂ（図４（ｂ）参照）が所定間隔で形成され、前記着脱部２６ａでレール体２３に装着した照明機器２８をレール体２３の長手方向に対向配設部２６ｂまでスライドさせることにより、当該レール体２３に形成されたテーパ面２６ｃによってピックアップコイル１７が前記各電線２４，２４に近接されるようになされている。
【００１３】
以上が、本発明の一例構成であって、次にその作用について説明する。
例えば、乾燥炉１内の清掃は、その運転を行わない週末などに行うようにしているが、その場合、まず、給電部１０の絶縁被覆電線１１に高周波電流を供給し、照明装置１５を乾燥炉１内に搬入する。
なお、このとき、照明装置１５の充電池１９に予め充電しておき、最初はその電力により照明ランプ２０を点灯させて、所定の洗浄位置まで搬入する。
【００１４】
次いで、所定の洗浄位置で、照明装置１５のピックアップコイル１７を給電部１０に係合させると、給電部１０の耐熱性の絶縁被覆電線１１に高周波電流が流れているので、電磁誘導の二次回路となるピックアップコイル１７に誘導起電力が生じ、電源装置１８から出力された電力により充電池１９が充電されると共に、当該充電池１９から照明ランプ２０に電力が供給され、照明ランプ２０は継続して点灯する。
【００１５】
したがって、長い電源コードで外部から電力を供給することなく、乾燥炉１内で照明装置１５を点灯させることができ、乾燥炉１内を明るく照らした状態で洗浄作業を行うことができる。
このとき、給電部１０は、山型の台座１２の長手方向に沿って所定間隔で立設された支柱１３，１３に二本の絶縁被覆電線１１が支持されているので、洗浄液などの水がかかっても給電部１０に水が溜まることはない。
また、給電部１０には絶縁被覆電線１１が敷設されているので、洗浄作業中に触れても感電することはなく、水がかかってもショートせず、さらに、表面に多少ヤニが付着していも確実に給電することができる。
【００１６】
そして、ピックアップコイル１７が給電部１０に対向配設されている間、継続的に充電池１９が充電されるので，洗浄位置の移動に伴って照明装置１５を移動するときにピックアップコイル１７を給電部１０から一時的に外しても、充電池１９から照明ランプ２０に電力が供給されるので、照明ランプ２０は点灯し続け、移動時に乾燥炉１内が真っ暗になることもない。
このようにして、例えば搬入口２Ａから搬出口２Ｂまで順次場所を移動しながら洗浄する際に、長い電源コードを引き回すことなく、百数十ｍにもわたるトンネル型乾燥炉１の任意の場所で、照明装置１５その他の電気機器を使用することができる。
【００１７】
また、熱風吹出ダクト５内を清掃するときも、同様に、照明装置２８などの電気機器に接続されたピックアップコイル１７を給電部２７に係合させることにより、ピックアップコイル１７に誘導起電力が生ずるので、熱風吹出ダクト５内で電源コードを引き回すことなく、任意の場所で電気機器を使用することができる。
【００１８】
なお、上述の説明では、給電部１０として耐熱性の絶縁被覆電線１１を乾燥炉１の床面に敷設した場合について説明したが、本発明はこれに限らず、左右側壁や天井などに敷設してもよい。
また、給電部１０は、炉１内の長手方向に沿って連続的に形成される場合に限らず、炉１内の長手方向に沿って所定間隔で形成されている場合であってもよい。例えば、図５に示す炉壁２２部分の平面図のように、給電部３０として、炉壁２２の長手方向に沿って所定間隔でピックアップコイル１７を装着する凹部３１を形成し、その内部に電磁誘導の一次回路となる耐熱性の絶縁被覆電線３２を配設したり、図示は省略するが前記凹部３１内に電磁誘導の一次コイルを形成してもよい。
【００１９】
また、乾燥炉１内で使用する電気機器類としては、照明装置１５に限らず、電動フロアブラシなど任意のものを用いることができる。
さらに、照明装置１５などの電気機器は、必ずしも充電池１９を備えている必要はなく、例えば、ピックアップコイル１７に生じた誘導起電力により直接照明ランプ２０を点灯させるものであってもよい。
さらにまた、給電部２７を設置する熱風送給ダクトは、乾燥炉１に熱風を供給する熱風吹出ダクト５に限らず、前記熱風吹出ダクトと熱風発生装置とを接続する連結ダクトや、乾燥炉１から熱風発生装置に熱風を還流する熱風還流ダクトであってもよい。
【００２０】
【発明の効果】
以上述べたように、本発明によれば、長い電源コードを用いることなく乾燥炉内に敷設された給電部により任意の位置で給電することができ、しかも、給電部には耐熱性の絶縁被覆電線が配設されているので、絶縁被覆電線に多少ヤニが付着しても給電不能に陥ったり、洗浄時に水がかかってショートしたりすることがないという大変優れた効果を奏する。
【図面の簡単な説明】
【図１】本発明に係る乾燥炉の一例を示す断面図。
【図２】その平面図。
【図３】熱風送給ダクト内の給電部を炉内側から見た図。
【図４】（ａ）及び（ｂ）は図３のＡ─Ａ線断面図及びＢ−Ｂ線断面図。
【図５】給電部の他の例を示す炉壁部分の平面図。
【符号の説明】
１・・・・・・乾燥炉
２Ａ・・・・・搬入口
２Ｂ・・・・・搬出口
３・・・・・・コンベア
５・・・・・・熱風吹出ダクト（熱風送給ダクト）
１０，３０・・・給電部
１１，３２・・・絶縁被覆電線
１５・・・・・・照明装置（電気機器）
１７・・・・・・ピックアップコイル
２２・・・・・・炉壁
２４・・・・・・絶縁被覆電線
２７・・・・・・給電部
【図１】
0003626296.tif 000002
【図２】
0003626296.tif 000003
【図３】
0003626296.tif 000004
【図４】
0003626296.tif 000005
【図５】
0003626296.tif 000006